(57)【要約】【課題】インタレース対応モニタを用いた目視確認などを要せず入力映像から自動で、且つ低い計算負荷にてフィールドオーダを判定するフィールドオーダ検出装置を提供する。【解決手段】フィールド分離部1は、入力映像をトップフィールドの位置から得られる偶数フィールド信号と、ボトムフィールドの位置から得られる奇数フィールド信号とに分離し、各信号をフィールドメモリ2が保持する。ソート部3は、各信号の各フレームにて偶数フィールド信号を先に、奇数フィールド信号を後に配置して偶数フィールドが先の信号と、その逆として奇数フィールドが先の信号と、を生成する。それぞれの生成信号に対して差分強度計算部4がフレーム間差分強度を計算し、フィールドオーダ判定部5は、偶数フィールド信号の強度が小さければ偶数フィールドが先、その逆なら奇数フィールドが先と判定する。【選択図】図１
2014165886.tif 000002
【特許請求の範囲】
【請求項１】
入力映像の画素信号のみを用いて当該入力映像のフィールドオーダを検出するフィールドオーダ検出装置であって、
前記入力映像の各フレームに対して、偶数フィールド信号及び奇数フィールド信号への分離を行うフィールド分離部と、
前記偶数フィールド信号及び前記奇数フィールド信号をフレーム番号と対応づけて蓄積するフィールドメモリと、
各フレーム番号につき、前記偶数フィールド信号を先に配置し前記奇数フィールド信号を後に配置することによって偶数フィールドが先の信号を生成すると共に、前記奇数フィールド信号を先に配置し前記偶数フィールド信号を後に配置することによって奇数フィールドが先の信号を生成するソート部と、
前記偶数フィールドが先の信号と前記奇数フィールドが先の信号とのそれぞれにつき、フレーム間差分強度を計算する差分強度計算部と、
前記計算されたフレーム間差分強度を比較して、前記偶数フィールドが先の信号のフレーム間差分強度が小さければ前記入力映像は偶数フィールドが先であると判定し、前記奇数フィールドが先の信号のフレーム間差分強度が小さければ前記入力映像は奇数フィールドが先であると判定するフィールドオーダ判定部と、を備えることを特徴とするフィールドオーダ検出装置。
【請求項２】
前記差分強度計算部は、フレーム間における画素差分絶対値の冪乗和として、フレーム間差分強度を計算することを特徴とする請求項１に記載のフィールドオーダ検出装置。
【請求項３】
前記冪乗における冪指数が１または２であることを特徴とする請求項２に記載のフィールドオーダ検出装置。
【請求項４】
前記フィールドオーダ判定部は、各フレームにおいていずれの信号の方がフレーム間差分強度が小さいかの投票を実施し、全フレームにおける当該投票の結果に基づいて前記判定することを特徴とする請求項１ないし３のいずれかに記載のフィールドオーダ検出装置。
【請求項５】
前記フィールドオーダ判定部は、前記各フレームにおいていずれの信号の方がフレーム間差分強度が小さいかの投票を実施するに際して、フレーム間差分強度の差が所定閾値を超えない場合は無効票となすことを特徴とする請求項４に記載のフィールドオーダ検出装置。
【請求項６】
前記フィールドオーダ判定部は、フレーム間差分強度の各信号における総和の比較に基づいて前記判定することを特徴とする請求項１ないし３のいずれかに記載のフィールドオーダ検出装置。
【請求項７】
ユーザより、前記入力信号のフォーマットを特定する情報の指定を受け付けて、所定の対応表を参照することで当該特定されたフォーマットにおけるフィールドオーダを調べる出力映像フォーマット指定部と、
前記調べたフィールドオーダが、前記フィールドオーダ判定部にて判定されたフィールドオーダと異なる場合に、前記入力映像のフィールドオーダを反転して出力するフィールドオーダ反転部と、をさらに備えることを特徴とする請求項１ないし６のいずれかに記載のフィールドオーダ検出装置。
【発明の詳細な説明】
【技術分野】
【０００１】
本発明は、インタレース映像におけるフィールドの時間的順序を、目視や映像ファイルのヘッダ情報の参照なしに、画像信号の解析により自動的に検出するフィールドオーダ検出装置に関する。
【背景技術】
【０００２】
現行のテレビ信号方式の多くは、モニタ装置においてインタレース（飛び越し）走査が行われることを前提として設計されている。インタレース信号は、2つのフィールドから構成されており、奇数ライン番号（信号フォーマット上、最初に出現するラインの番号を(0ではなく)1とし、以降2,3,4…と付番する前提での奇数番号1, 3, 5, ...）の集合はトップフィールド、偶数番号(2, 4, 6, ...)の集合をボトムフィールドと呼ばれている。トップフィールドとボトムフィールドは1フレーム周期の1/2だけ表示時間がずれており、信号フォーマットごとに定められるいずれかのフィールドオーダで有効画像領域内の走査が行われる。
【０００３】
一般に、トップフィールドを時間的に先に走査（表示）し、その後ボトムフィールドを走査するフィールドオーダをトップファースト、その逆をボトムファーストと呼ぶ。なお、いずれのフィールドオーダにおいても、有効画像領域の最初のラインは時間的に先に走査するフィールドであると規定されている。
【０００４】
ところが、近年製造されているモニタ装置の大半を占めるFPD(Flat Panel Display；フラットパネルディスプレイ)では、プログレッシブ（順次）走査を前提とした表示方式を採用しており、インタレース映像信号の表示の際は、フィールドマージと呼ばれる処理により、トップフィールド・ボトムフィールドの各ラインを同時に表示し、1枚のフレームとして表示を行う。このフィールドマージは、FPD等のインタレース表示非対応モニタ上での映像の見た目をインタレース表示対応モニタのそれに近づけるために行なわれる処理といえる。映像機器およびPCでは、このフィールドマージされた状態の映像信号に対し種々の映像処理が加えられる。
【０００５】
この際、処理前のフィールドオーダを保存する、すなわち、有効画像領域の先頭ラインのトップ／ボトムのフィールド種別を処理前後で一致させる必要がある。これは、映像機器ないしPCに入力される映像信号にはフィールドオーダを示すフラグ（標準規格であるSMPTE259M/292MでいうFフラグ、([STMPTE]；Society of Motion Picture and Television Engineers)）があるためフィールド種別を識別できるが、機器内部では通常こうした情報は失われるため、処理前の前提を引き継ぐ以外にないためである。
【０００６】
しかし、映像機器の組み合わせによっては、適切にフィールドオーダの設定が引き継がれない場合が存在する。また、機器によっては、使用者が手動でフィールドオーダを指定する必要があり、使用者の仕様理解不足や錯誤により誤った設定を与えることにより、結果的に意図せずフィールドオーダを逆転させてしまう可能性がある。このような場合、フィールド間の時間関係が逆転してしまうため、動きのある映像において滑らかに再生されない等の異常として知覚されることとなる。また、後続の映像処理がフィールドオーダに依存した処理を含む場合、さらに意図しない処理結果を生じさせる可能性がある。
【０００７】
こうしたフィールドオーダ反転の対策として、処理後の映像を目視確認することにより異常の有無を判定する方法が考えられる。しかし、前述のとおり、近年では映像モニタはインタレース表示に対応していないFPD装置が主流であり、目視をおこなえる環境を用意しづらい状況にある。
【０００８】
こうした状況に対して、特許文献１および２では、フィールドオーダを映像信号の解析から自動判定する検出する方式・装置を提供している。
【０００９】
特許文献１では、圧縮符号化の前処理としてフィールドオーダを判定する手段を具備しており、映像が静止したタイミングでフィールドオーダを変更する機能を実現している。しかし、フィールドオーダの変更はボトムファーストからトップファーストへの変換に限定しており、汎用性は低い点が課題といえる。
【００１０】
特許文献２では、上記課題に関して、両方向のフィールドオーダの変更を意図した汎用性の高い方式が示され、判定対象の映像に対し動き予測を適用し得られた動きベクトルの時間的変動から、フィールドオーダ反転による動きの異常を検出する手段を具備している。
【先行技術文献】
【特許文献】
【００１１】
【特許文献１】特開2005-5904号公報「画像圧縮装置」
【特許文献２】特開2007-81500号公報「画像処理装置、動画像データのフィールド・オーダを決定する方法及びプログラム」
【発明の概要】
【発明が解決しようとする課題】
【００１２】
しかしながら、汎用性を高めるべく両方向のフィールドオーダの変更を意図した特許文献２においても、次の課題が存在する。すなわち、特許文献２では、動きの異常を検出するために画素ブロック単位で検出した動きベクトルの情報を用いているが、動きベクトル検出の実装には非常に大きな計算コストを要するため、実装規模や処理時間の増大が懸念される。
【００１３】
本発明は、上記従来技術の課題に鑑み、入力画像のフィールドオーダを自動的に決定する機能を有し、この際の計算コストが小さく簡素な実装が可能となるフィールドオーダ検出装置を提供することを目的とする。
【課題を解決するための手段】
【００１４】
上記目的を達成するため、本発明は、入力映像の画素信号のみを用いて当該入力映像のフィールドオーダを検出するフィールドオーダ検出装置であって、前記入力映像の各フレームに対して、偶数フィールド信号及び奇数フィールド信号への分離を行うフィールド分離部と、前記偶数フィールド信号及び前記奇数フィールド信号をフレーム番号と対応づけて蓄積するフィールドメモリと、各フレーム番号につき、前記偶数フィールド信号を先に配置し前記奇数フィールド信号を後に配置することによって偶数フィールドが先の信号を生成すると共に、前記奇数フィールド信号を先に配置し前記偶数フィールド信号を後に配置することによって奇数フィールドが先の信号を生成するソート部と、前記偶数フィールドが先の信号と前記奇数フィールドが先の信号とのそれぞれにつき、フレーム間差分強度を計算する差分強度計算部と、前記計算されたフレーム間差分強度を比較して、前記偶数フィールドが先の信号のフレーム間差分強度が小さければ前記入力映像は偶数フィールドが先であると判定し、前記奇数フィールドが先の信号のフレーム間差分強度が小さければ前記入力映像は奇数フィールドが先であると判定するフィールドオーダ判定部と、を備えることを特徴とする。
【発明の効果】
【００１５】
本発明によれば、入力映像より各フィールドオーダを想定した偶数フィールド信号と奇数フィールド信号を作成して、それらの差分強度の比較によって入力映像のフィールドオーダを自動で判定することができる。従って、インタレース対応モニタを用いた目視確認などを必要とせず、作業上及び設備上の負荷軽減を実現することができる。またこの際、差分強度の比較によって判定するので、動きベクトルなどを算出する場合と比べて、低い計算負荷によって判定することができる。
【図面の簡単な説明】
【００１６】
【図１】一実施形態に係るフィールドオーダ検出装置の機能ブロック図である。
【図２】フィールド分離部及びフィールドメモリにより、入力映像が各フィールドの信号へと分離され蓄積されることを模式的に示す図である。
【図３】ソート部によって得られる2通りの信号を模式的に説明するための図である。
【図４】別の一実施形態に係るフィールドオーダ検出装置の機能ブロック図である。
【発明を実施するための形態】
【００１７】
図１は、一実施形態に係るフィールドオーダ検出装置の機能ブロック図である。フィールドオーダ検出装置10は、フィールド分離部1、フィールドメモリ2、ソート部3、差分強度計算部4及びフィールドオーダ判定部5を備え、非圧縮映像信号を入力として、当該入力映像のフィールドオーダの判定結果を出力する。
【００１８】
入力映像信号は非圧縮映像信号であり、フレーム番号順にフィールドオーダ検出装置10へと入力される。フレーム番号をf、水平画素位置をx、ライン番号をyとして、当該入力信号をIin(f, x, y)とする。なお、以下では、当該f、x及びyは0から始まるカウンタとする。
【００１９】
フィールド分離部1は、入力映像信号を2つのフィールドに分離する。ここで、ライン番号yに対して、y mod 2=0を満たす、すなわちyが偶数であるラインの集合を偶数フィールド、また、y mod 2=1となる、すなわちyが奇数であるラインの集合を奇数フィールドと呼称する。なお、トップ／ボトムという呼称は、この時点ではオーダが確定していないため使用していない。
【００２０】
上記呼称により、フィールド分離部1は、以下の(式1-1)及び(式1-2)にそれぞれ示すように、入力信号Iin(f, x, y)を偶数フィールド信号I0(f, x, y)及び奇数フィールド信号I1(f, x, y)に分離し、フィールドメモリ2へ渡す。
【００２１】
【数１】
2014165886.tif 000003
【００２２】
フィールドメモリ2は、上記分離された各フィールド信号を、後続のソート部3におけるソート処理のために蓄積する。なお、当該フィールドメモリ2は、後続の各処理部にて参照の要求がある際は、任意のフィールドの信号値を出力するものとする。なおまた、当該フィールドメモリ2は、メモリ又はハードディスクその他のように、データ蓄積機能を有する任意の媒体によって実現してよい。
【００２３】
図2は、以上のフィールド分離部1及びフィールドメモリ2での処理を模式的に示す図であり、偶数フィールド(ライン番号y=0, 2, 4, ...)を白色で、奇数フィールド(ライン番号y=1, 3, 5, ...)を灰色で描いている。(1)のような入力映像は、(2)のような偶数フィールド信号と、(3)のような奇数フィールド信号へと分離され、蓄積される。なお、図示するように、入力映像の各フレームのサイズが横X及び縦Yであったとすると、分離されたそれぞれの信号は縦のサイズが半分となり、そのサイズは横X及び縦Y/2となる。
【００２４】
ソート部3は、偶数フィールド信号及び奇数フィールド信号をそれぞれ、そのサイズに関して図2で説明したように、縦サイズが入力信号の半分となり、その走査順に関してはプログレッシブ（順次）走査がなされる、一連のプログレッシブフレームとみなして、時間順に並べ替える。ここで、偶数・奇数フィールド信号の構成フレームのどちらが時間的に先であるかに関し、当該時点では判別が付かないため、2通りのソート順の信号を生成して、差分強度計算部4へ渡す。
【００２５】
すなわち、偶数フィールドが先(EFF; Even Field First)の信号をJE(f,x,y)とし、奇数フィールドが先(OFF; Odd Field First)の信号をJO(f,x,y)とすると、両者はそれぞれ以下(式2-1)及び(式2-2)の通り定義される。
【００２６】
【数２】
2014165886.tif 000004
【００２７】
ここで、EOは偶数フィールドをあらわす場合（上記各式の右辺のIEOが偶数フィールド信号である場合）に0を、奇数フィールドをあらわす場合（上記各式の右辺のIEOが奇数フィールド信号である場合）に1を持つ整数であるとする。また、inv()は0と１を反転させる関数とする。
【００２８】
図３は、当該ソート部3により得られる2通りの信号を模式的に説明するための図であり、図２の例と同様に偶数フィールドを白色で、奇数フィールドを灰色で描いている。上段側(A)に示すEFF(Even Field First)ソートは、(式2-1)の場合であり、入力映像の同一フレームfに属するフィールドに関しては偶数フィールドを先に表示させる。一方、下段側(B)に示すOFF(Odd Field First)ソートは、(式2-2)の場合であり、(A)に対して並びを反転させ、奇数フィールドを先に表示させる。
【００２９】
なお、図３の「時間軸」に示すように、当初の入力映像におけるf番目のフレーム（上段(A)及び(B)側に「フレームf」として記載）における偶数／奇数フィールドが、各ソート信号におけるソート順に従ったうえで、当該各ソート信号における2f番目及び2f+1番目のフレームに対応することとなる。
【００３０】
上記(式2-1)及び(式2-2)により定義した各ソート信号JE(f, x, y)及びJo(f, x, y)のうち、一方は正しい時間順となっているため、すなわち、当初の入力映像におけるフィールドオーダと一致してソートがなされているため、映像の見た目は自然で滑らかとなる。これに対して、他方は時間的に整合が取れていないため、映像の見た目に問題を持つこととなる。すなわち、ソート信号JE(f, x, y)及びJo(f, x, y)を信号の時間変化の観点から考えると、正しい時間順でならんでいる信号のほうが動きが滑らかであり変化は小さいが、もう一方は正しい時間順に対し前後の時間に変動しながら信号を更新することになる。
【００３１】
よって、正しい時間順の信号のほうが映像フィールド間（なお、ソート信号では図３のようにフレーム時間軸上に偶数／奇数のフィールドが交互に現れるので、隣接フレーム間は「フィールド間」となる）の差分信号成分は小さくなることが予想される。そこで、本発明では、ソート信号JE(f, x, y)及び Jo(f, x, y)の時間方向の差分信号に基づき、映像の動きの滑らかさを判定し、映像全体でその差分がより小さい方を正しいフィールド順として採用するものとする。
【００３２】
以上のような観点に基づき、差分強度計算部4は、各ソート信号JE(f, x, y)及び Jo(f, x, y)に対して、フィールド間（すなわち、隣接フレーム間）の差分信号の大きさの指標を求める。当該指標としては、信号評価一般によく用いられる、以下の(式3-1)による差分電力を用いてもよい。
【００３３】
【数３】
2014165886.tif 000005
【００３４】
ここで、和はf番目のフレーム(f-th frame)内の全画素(x, y)について計算され、当該全画素数が分母にあるNFである。
【００３５】
なおまた、多数回の乗算を回避して計算負荷の増大を避ける意図などで、以下の(式3-2)の差分絶対値和を用いてもよいし、一般化して、以下の(式3-3)に示すようなLp空間距離（絶対値のp乗で定義される距離）を用いてもよい。
【００３６】
【数４】
2014165886.tif 000006
【００３７】
すなわち、(式3-3)が最も一般的な場合であって、フレーム間における画素差分絶対値の冪乗和(p乗の和)として、フレーム間差分強度を計算する。当該冪指数pを1としたのが、(式3-2)となり、当該冪指数pを2としたのが、(式3-1)となる。
【００３８】
なお、以上の(式3-1)〜(式3-3)では、偶数フィールドが先のソート信号JE(f, x, y)に対して、各種の差分強度指標DE(f)が与えられているが、各式中のJE(f, x, y)等をJO(f, x, y)等へと置き換えることで、奇数フィールドが先のソート信号JO(f, x, y)に対しても、当該各指標DO(f)を全く同様に求めることができる。（すなわち、各式中において偶数を表す添字Eを、奇数を表す添字Oへと置き換えればよい。）
【００３９】
フィールドオーダ判定部5は、差分強度計算部4が出力した各ソート信号の各フレーム間の差分強度の大きさに基づき、フィールドオーダを判定する。当該判定の基準として、各ソート信号の各フレームfにおける差分強度DE(f) 及び DO(f)の大小関係を比較し、信号全体(f=0, 1, 2, ...)において、差分強度の小さいフレーム数が多いソート信号におけるフィールド順を、正しいフィールド順として出力する手法（多数決方式）を用いることができる。
【００４０】
具体的には、各フレームfにおける各ソート信号の差分強度DE(f) 及び DO(f)の大小比較による投票関数Vote(f)を以下の(式4-1)のように定義する。正しいフィールド順の判定式は、当該投票関数Vote(f)をソート信号の一連のフレームf全体(f ∈ sequence)に渡って求めることにより、以下の(式4-2)で与えられる。
【００４１】
【数５】
2014165886.tif 000007
【００４２】
すなわち、(式4-1)の投票関数Vote(f)は、「偶数フィールドが先」(EFF)の差分強度DE(f) の方が小さい場合に、「偶数フィールドが先」の並べ順の方が正しい可能性が高いとして、当該フレームfに関して、「偶数フィールドが先」の側に1票を投じるものである。逆の場合には、「偶数フィールドが先」の側に0票が投じられることで、逆に「奇数フィールドが先」(OFF)の可能性が高い旨が表明される。
【００４３】
当該投票関数Vote(f)を(式4-2)で開票することで、「偶数フィールドが先」が正しい側に「1」が投ぜられた合計が過半数であれば、正しいフィールドオーダは「偶数フィールドが先」である。また逆に、過半数に至らなければ、正しいフィールドオーダは、「奇数フィールドが先」である。
【００４４】
こうして、図2で説明したような偶数ライン／奇数ラインからなる入力映像に対して、「偶数／奇数フィールドが先」の判定結果を得ることができる。なおここで、実際に当該入力映像がトップファーストかボトムファーストであるかを特定する際には、信号規格によって有効領域の先頭ラインのトップ／ボトム属性に違いがあるため、さらに当該入力映像の信号規格が既知である必要がある。本発明では、信号規格が未知であっても、少なくとも偶数ライン／奇数ラインの時間順の観点でのフィールドオーダを判定することができる。
【００４５】
なお、(式4-2)の開票においては、各ソート信号がフレーム総数2Nであると、差分強度は(2N−1)個求まるので、(式4-2)における「総フレーム数」は当該差分強度の個数(2N−1)となる。結果が所定閾値判定により総フレーム数の半分に非常に近く、オーダ判定を下すことが厳しい場合は、その旨を出力するようにしてもよい。
【００４６】
なおまた、(式4-1)の投票関数Vote(f)に関して、差分強度が僅差のフレームと大差のあるフレームとで同じく1票又は0票と計上するのは、特に動きの少ない絵柄などで誤判定を生じうる懸念もある。これを回避するために、以下の(式4-1-1)のように、DE(f) , DO(f)の間に所与の閾値TH(>0)を超える差が生じたフレームfのみを投票に参加させるようにしてもよい。
【００４７】
【数６】
2014165886.tif 000008
【００４８】
上記(式4-1-1)を(式4-2)の開票に適用する際はすなわち、閾値THを超えない場合("otherwise"の場合)、当該フレームfの投票は「無効票」扱いとし、(式4-2)における「総フレーム数」にカウントしないようにする。
【００４９】
また、別の実施形態として、(式4-1)のような投票関数を利用せず、以下の(式4-3)のようにして、差分強度の総和の大小比較によって、総和の小さい側に対応するフィールドオーダを正しいものとして判定するようにしてもよい。(式4-2)と同様に、僅差で判断が厳しい場合、その旨を出力するようにしてもよい。
【００５０】
【数７】
2014165886.tif 000009
【００５１】
図4は、別の一実施形態に係るフィールドオーダ検出装置10の機能ブロック図であり、図1の構成にさらに、出力映像フォーマット指定部6及びフィールドオーダ反転部7を追加して備えた構成となっている。
【００５２】
当該実施形態では、図1で説明した一実施形態の場合と同様にフィールド分離部1〜フィールドオーダ判定部5が機能してフィールドオーダ判定結果が得られると共に、当該判定結果及びユーザからの指定入力に基づいて、上記追加された各部6及び7による追加機能として、必要な場合に入力映像におけるフィールドオーダを正しい順に修正して、すなわちフィールドオーダを反転して、出力映像が得られる。
【００５３】
出力映像フォーマット指定部6は、ユーザからのマニュアル入力によって、入力映像において想定されている信号フォーマット規格、従って必然的に、出力映像が従うべき信号フォーマット規格の指定を受け付ける。出力映像フォーマット指定部6では、当該ユーザより入力された信号フォーマット規格において定義されているフィールドオーダ種別を識別し、フィールドオーダ反転部7に出力する。
【００５４】
このため、出力映像フォーマット指定部6では、既存の各種の信号フォーマット規格と、対応するフィールドオーダ種別と、の対応表を予め用意して保持しておき、当該対応表を参照することによって、ユーザの指定フォーマットに対応するフィールドオーダ種別を得る。
【００５５】
当該対応表に記載される内容として一例を挙げると、1080/60i（60フィールド／秒のHDTV信号）であればSMPTE292Mにおいてトップファーストであることが、525/60（60フィールド／秒のSDTV信号）であればSMPTE259Mにおいてボトムファーストであることが規定されているため、このフィールドオーダ種別を出力することとなる。
【００５６】
フィールドオーダ反転部7は、出力映像フォーマット指定部6の出力により提示されたユーザの所望する出力形態と、フィールドオーダ判定部5におけるフィールドオーダ判定結果とを比較し、両者に相違があれば入力信号に対してフィールドオーダを反転させて出力を行う。
【００５７】
例えば、図4の入力映像が有効領域の再上端のラインから開始すると前提する場合（当該前提の情報も、フォーマット指定と同時にユーザより受け付けることができる）、その入力映像がHDTV信号であれば、「偶数フィールドが先」の判定結果は「トップファースト」を表すので、「奇数フィールドが先」の判定結果の際に反転させる。SDTV信号であれば、「偶数フィールドが先」の判定結果は「ボトムファースト」を表すので、「奇数フィールドが先」の判定結果の際に反転させる。
【００５８】
なお、入力映像については図4にも示すように、フィールドメモリ2から各フィールド信号ごとに取得して、フィールドオーダを反転させることが可能である。上記相違がなく、フィールドオーダ反転の必要が無い場合は、入力信号のフィールドオーダを維持したまま映像出力を行う。
【符号の説明】
【００５９】
10…フィールドオーダ検出装置、1…フィールド分離部、2…フィールドメモリ、3…ソート部、4…差分強度計算部、5…フィールドオーダ判定部、6…出力映像フォーマット指定部、7…フィールドオーダ反転部
【図１】
2014165886.tif 000010
【図２】
2014165886.tif 000011
【図３】
2014165886.tif 000012
【図４】
2014165886.tif 000013